【事件の表示】
　特許第２９８５２２１号「カラー原稿読取装置」の請求項１ないし３に係る特許に対する特許異議の申立てについて、次のとおり決定する。
【結　論】
　訂正を認める。
　特許第２９８５２２１号の請求項１ないし３に係る特許を取り消す。
【理　由】
１．手続の経緯
　特許第２９８５２２１号に係る発明についての出願は、平成２年４月１２日の特許出願であって、平成１１年１０月１日にその発明について特許の設定登録がなされ、その後、その特許請求の範囲における請求項１乃至３に係る発明の特許について異議申立人渡部廣美より特許異議の申立てがなされ、取消理由通知がなされ、その指定期間内である平成１２年１０月１０日に訂正請求がなされたものである。
２．訂正の適否について
（１）訂正の内容
　平成１２年１０月１０日付けの訂正請求書による訂正事項は、
　ア．特許請求の範囲における請求項１の「イメージラインセンサの出力」を「イメージラインセンサの一蓄積期間における出力」と訂正し、同じく請求項１の「基準点灯時間」を「前記一蓄積期間より短い基準点灯時間」と訂正し、同じく請求項１の「一蓄積期間」を「前記一蓄積期間」と訂正し、同じく請求項１の「時間」を「前記一蓄積期間より短い時間」と訂正し、
　イ．発明の詳細な説明中の【課題を解決するための手段】（特許公報第２頁左欄第１４〜２６行）における記載を「本発明のカラー原稿読取装置は、異なる発光波長をもつ複数の光源を、蓄積タイプのイメージラインセンサの読み取りタイミングに同期点灯させて、原稿画像を読み取るカラー原稿読取装置において、各光源毎に基準面を照射した時にイメージラインセンサの一蓄積期間における出力が所定レベルに入る一蓄積期間より短い基準点灯時間を計測する手段を具備し、一蓄積期間に異なる発光波長をもつ複数の光源を複数点灯させる際には、基準点灯時間に所望の係数を乗じた一蓄積期間より短い時間を各光源毎の点灯時間とすることを特徴とする。また、基準面は白色であり、所望の係数が、複数点灯させる光源数の逆数であることを特徴とする。さらに、異なる発光波長をもつ複数の光源が、赤色ＬＥＤ、青色ＬＥＤおよび緑色ＬＥＤであることを特徴とする。」と訂正するものである。
（２）訂正の目的の適否、新規事項の有無及び拡張・変更の存否
　上記訂正事項アは、特許請求の範囲の減縮に該当し、新規事項の追加に該当しない。
　上記訂正事項イは、請求項１の訂正に伴い、発明の詳細な説明中の【課題を解決するための手段】における明りょうでない記載の釈明を目的とするものであり、新規事項の追加に該当しない。
　そして、上記訂正は、実質上特許請求の範囲を拡張又は変更するものでもない。
（３）以上のとおりであるから、上記訂正は、特許法第１２０条の４第３項において準用する平成六年法改正前の第１２６条第１項ただし書、及び同条第２項の規定に適合するので、当該訂正を認める。
３．特許異議の申立てについて
（１）申立の理由の概要
　異議申立人渡部廣美は、証拠として甲第１号証（特開昭６１−９０７５号公報）、甲第２号証（特開昭６１−１２１５６５号公報）、及び甲第３号証（特開昭５８−２１９７３号公報）を提出し、本件請求項１、２、及び３に係る発明は、甲第１乃至３号証に記載された発明に基いて当業者が容易に発明をすることができたものであり、特許法第２９条第２項の規定により特許を受けることができないものであるから、本件請求項１、２、及び３に係る発明の特許を取消べき旨主張している。
（２）本件発明
　平成１２年１０月１０日付けで提出された訂正明細書の請求項１、２、及び３に係る発明は、その特許請求の範囲の各請求項に記載された次の事項により特定されるとおりのものである。　
【請求項１】異なる発光波長をもつ複数の光源を、蓄積タイプのイメージラインセンサの読み取りタイミングに同期点灯させて、原稿画像を読み取るカラー原稿読取装置において、
　前記各光源毎に基準面を照射した時に前記イメージラインセンサの一蓄積期間における出力が所定レベルに入る前記一蓄積期間より短い基準点灯時間を計測する手段を具備し、
　前記一蓄積期間に前記異なる発光波長をもつ複数の光源を複数点灯させる際には、前記基準点灯時間に所望の係数を乗じた前記一蓄積期間より短い時間を前記各光源毎の点灯時間とすることを特徴とするカラー原稿読取装置。
【請求項２】前記基準面は白色であり、前記所望の係数が、前記複数点灯させる光源数の逆数である請求項１に記載のカラー原稿読取装置。
【請求項３】前記異なる発光波長をもつ複数の光源が、赤色ＬＥＤ、青色ＬＥＤおよび緑色ＬＥＤである請求項１あるいは請求項２に記載のカラー原稿読取装置。
４．引用刊行物記載の発明
　当審が通知した取消理由に引用した刊行物（特開昭６１−９０７５号公報）（以下、「刊行物１」という。）には、図面と共に以下の事項が記載されている。
（１）「第１図に本発明の全体構成図を示す。読み取るべき原稿１を照射するための赤、緑、青の３本の蛍光灯２，３，４が配設され、ミラー５及び凸レンズ６より成る光学系により原稿の結像面にＣＣＤセンサ７が配設されている。ＣＣＤセンサ７の出力信号は、増幅回路８で増幅され、制御回路９に導入される。制御回路９はＣＣＤセンサの制御と同期する所定のタイミングで蛍光灯点灯回路１０に対し点灯信号を出力する。点灯回路１０は各蛍光灯をパルス発光させる。」（第２頁左上欄第１５行〜同頁右上欄第４行）
（２）「第２図にカラーモード選択時のタイムチャートを示す。ＣＣＤへの転送パルスΦＴにより受光部の電荷がアナログシフトレジスタの各ビットへ並列に転送され、その後、シフトレジスタにより直列に導出され、増幅回路８を経てＣＣＤ出力信号が読み出される。この転送パルスΦＴと同期して赤の点灯信号ＴＲ、緑の点灯信号ＴＧ、青の点灯信号ＴＢ画制御回路から順次出力され、それに従って赤、緑、青の３本の蛍光灯２，３，４が順次発光する。点灯信号ＴＲ，ＴＧ，ＴＢの各時間幅は各蛍光灯の光度に応じて予め定められている。このような順次切換え発光により、ＣＣＤは転送パルスΦＴで区切られた期間毎に、赤、緑、青の分解色信号を出力する。」（第２頁右上欄第７〜２０行）
（３）「第３図に白黒モード選択時のタイムチャートを示す。このモードにおいて前述したカラーモードと異なる点は、３個の蛍光灯２，３，４に対して点灯信号ＴＲ，ＴＧ，ＴＢが一斉に出力され、一斉に発光すること、その一斉発光が転送パルスΦＴごとのすべての期間で実行されること、及び、点灯信号の時間幅が前記したカラーモード時に対し１／３と短くなっていることである。」（第２頁左下欄第１〜８行）
　同じく、当審が通知した取消理由に引用した刊行物（特開昭６１−１２１５６５号公報）（以下、「刊行物２」という。）には、図面と共に以下の事項が記載されている。
（ａ）「第２図は、カラー読み取り装置の光学系の概略構成を示す。カラー原稿１にガラス台２を介して赤、緑、青の３個の蛍光灯３，４，５の各々の発光が順次に照射され、この反射光がミラー６、レンズ７を経てＣＣＤセンサ８に入射する。
　基準白色部９は、カラー原稿１の読み取りを行う前に、赤、緑、青の蛍光灯３，４，５の発光のこの基準白色部における反射光をＣＣＤセンサ８に与えて、後述するホワイトバランス法を行うためのものである。この基準白色部９は可視光領域で良く可視光を（１００％近く）反射し、可視光領域の反射率が一様であるような材質が選定される。」（第２頁右上欄第１３行〜同頁左下欄第５行）
（ｂ）「第１図は、カラー読み取り装置の構成を示す。点灯回路１１は、制御回路１０からの点灯信号ＲＦＬ、ＧＦＬ、ＢＦＬに応じて、各信号が“１”である期間赤、緑、青の蛍光灯３，４，５をそれぞれ点灯させる。ＣＣＤセンサ８は、第５図に示すように、Ｎ個の受光素子Ｓ１ないしＳＮからなるセンサ部２２と、Ｎビットのアナログシフトレジスタ２３とが、転送ゲート２４を介して接続される。このＣＣＤセンサ８は、制御回路１０からのパルス信号φＴ，φ１，φ２，φＲによって駆動され、出力バッファ２５の出力信号ＶＯがサンプルホールド回路１２に入力される。第６図は信号φＴ，φ１，φ２，φＲ，ＶＯ、サンプルホールド信号ＳＨ、サンプルホールドした後のＣＣＤ出力ＶＯのタイミングチャートを示す。」（第２頁右下欄第１３行〜第３頁左上欄第９行）
（ｃ）「以下、赤、緑、青の発光の基準白色部９での反射光に対するＣＣＤ出力ｖｏの均一化、及び、シェーディングメモリ１５への補正処理後のＣＣＤ出力ｖｏの波形データすなわちシェーディング波形データの書き込みについて説明する。まず、手順として、
　イ）周期ＴＲＧＢの決定、
　ロ）パルスモータを駆動して基準白色部９を読み取り位置へ移動、
　ハ）赤の蛍光灯の発光期間の決定、
　ニ）赤のシェーディング波形データのＲメモリ１６への書き込み、
　ホ）緑の蛍光灯の発光期間の決定、
　へ）緑のシェーディング波形データのＧメモリ１７への書き込み、
　ト）青の蛍光灯の発光期間の決定、
　チ）青のシェーディング波形データのＢメモリ８への書き込み、
　リ）赤、緑、青の蛍光灯の順次点滅開始、
となるが、上述のハ）、ニ）について第９図のタイミングチャートと第１図にもとづいて説明する。この場合，ＤＡコンバータ１４に与えられる制御信号ＴＳＨＤは“１”であり、ＡＤコンバータ１３に与えられる基準信号ＶＲＥＦは−２ｖに固定される。また、ピーク値検出回路１９のＢ入力に与えられる比較データは、約−１．７２５ｖに相当する２２０（＝ＤＣＨ）である。なお、この比較データを２５５（＝ＦＦＨ）としないのは、後述する色相強調を行うためである。次に、赤の反射光エネルギの積分期間ＰＲ（第８図）を決定するのであるが、先ず、赤の蛍光灯３の点灯信号ＲＦＬが時間ＴＤと予め設定された最大の積分期間ＰＭＡＸの１／２の和の期間出力され、赤の蛍光灯３がこの期間発光する。このときのＣＣＤ出力ｖｏは２２０（約−１．７２５ｖ）に満たないので、ピーク値検出回路１９の出力信号ＳＯＶＥＲは“０”である。したがって、次の走査では積分期間はＰＭＡＸ／２＋ＰＭＡＸ／４となり、これに対応したＣＣＤ出力ｖｏのピーク値が２２０（約−１．７２５ｖ）を越すので、信号ＳＯＶＥＲは“１”となる。この結果、次の走査では積分期間はＰＭＡＸ／２＋ＰＭＡＸ／４−ＰＭＡＸ／８となる。このような一連の判定動作を８回繰り返し，ＣＣＤ出力ｖｏのピーク値をほぼ２２０（約−１．７２５ｖ）近づけた段階で、シェーディングメモリ１５のＲメモリ１６へシェーディング波形データを書き込む。上述のようにして、赤の反射光エネルギの積分期間ＰＲを決定し、ＣＣＤ出力ｖｏのピーク値が約−１．７２５ｖの状態でシェーディングメモリ１５のＲメモリ１６へシェーディング波形データを書き込む。そして、同様な方法で、緑の反射光エネルギの積分期間ＰＧの決定とシェーディング波形データのＧメモリ１７への書き込み及び青の反射光エネルギの積分期間ＰＢの決定とシェーディング波形データのＢメモリ１８への書込みを行う。以後、固定された発光期間で赤、緑、青の蛍光灯３，４，５の順次点滅を行うのである」（第４頁左上欄第１３行〜同頁右下欄第１０行）
５．対比・判断
（１）請求項１に係る発明について
　請求項１に係る発明と刊行物１に記載された発明とを対比すると、
　刊行物１に記載された発明は、ＣＣＤセンサ７の制御と同期する所定のタイミングで蛍光灯点灯回路１０に対し点灯信号を出力し、点灯回路１０は、異なる発光波長を持つ赤、緑、青の３本の蛍光灯２，３，４をパルス発光させて、原稿を読み取る（前記記載（１）参照。）のであるから、刊行物１に記載された発明は「異なる発光波長をもつ複数の光源を、蓄積タイプのイメージラインセンサの読み取りタイミングに同期点灯させて、原稿画像を読み取るカラー原稿読み取り装置」の発明である。
　刊行物１に記載された発明は、ＣＣＤへの転送パルスΦＴにより受光部の電荷がアナログシフトレジスタの各ビットへ並列に転送され、その後、シフトレジスタにより直列に導出され、増幅回路８を経てＣＣＤ出力信号が読み出され、そして、この転送パルスと同期して赤の点灯信号ＴＲ、緑の点灯信号ＴＧ、青の点灯信号ＴＢが制御回路から順次出力され、それに従って赤、緑、青の３本の蛍光灯２，３，４が順次発光する（前記記載（２）を参照。）から、刊行物１に記載された転送パルスΦＴの周期は、請求項１に係る発明の一蓄積期間に相当する。
　刊行物１に記載された発明は、カラーモード選択時には、３本の蛍光灯２，３，４に対する点灯信号ＴＲ、ＴＧ、ＴＢの時間幅は、各蛍光灯の光度に応じて予め定められており、しかも各点灯信号ＴＲ、ＴＧ、ＴＢの時間幅は、転送パルスΦＴの周期（一蓄積期間に相当）より短く設定されていると認められるから、各点灯信号ＴＲ、ＴＧ、ＴＢの時間幅は、それらがどのようにして定められるかの点は別として、請求項１に係る発明の基準点灯時間と差異がない。
　そして、刊行物１に記載された発明は、白黒モード選択時には、３個の蛍光灯２，３，４に対して点灯信号ＴＲ、ＴＧ、ＴＢが一斉に出力され、一斉に発光し、その一斉発光が転送パルスΦＴの周期ごとのすべての期間で実行され、点灯信号の時間幅がカラーモード時のそれに対して１／３と短く設定されている（前記記載（３）を参照）から、刊行物１に記載された発明は、「前記一蓄積期間に前記異なる発光波長をもつ複数の光源を複数点灯させる際には、基準点灯時間に所望の係数を乗じた前記一蓄積期間より短い時間を前記各光源毎の点灯時間とする」ものである。
　そうすると、請求項１に係る発明と刊行物１に記載された発明とは、
「異なる発光波長をもつ複数の光源を、蓄積タイプのイメージラインセンサの読み取りタイミングに同期点灯させて、原稿画像を読み取るカラー原稿読取装置において、
　前記イメージラインセンサの一蓄積期間より短い基準点灯時間を定め、
　前記一蓄積期間に前記異なる発光波長をもつ複数の光源を複数点灯させる際には、前記基準点灯時間に所望の係数を乗じた前記一蓄積期間より短い時間を前記各光源毎の点灯時間とすることを特徴とするカラー原稿読取装置。」である点で一致し、次の点で相違する。
（相違点１）
　請求項１に係る発明は、各光源毎に基準面を照射した時に前記イメージラインセンサの一蓄積期間における出力が所定レベルに入る前記一蓄積期間より短い点灯時間を計測する手段を具備し、それにより計測された点灯時間を基準点灯時間としているのに対し、刊行物１に記載された発明は、基準点灯時間（３本の蛍光灯２，３，４の点灯信号ＴＲ，ＴＧ，ＴＢ）を各蛍光灯の光度に応じて予め定めている点。
　相違点１について判断する。
　刊行物１に記載された発明において、点灯信号の各時間幅を各蛍光灯の光度に応じて定めることの技術的意義は、各色の信号レベルを適切にして白バランスの良い画像が得られるようにすることにあると認められるところ、当審が通知した取消理由に引用した刊行物２には、赤、緑、青の蛍光灯３，４，５毎に基準白色部９を照射したときにＣＣＤセンサ８の出力ｖｏが所定レベル（−１，７２５ｖ）に入る時間を計測し、それら時間を原稿の読み取りの際の各色の発光期間にすることにより白バランスの良い画像を得ることが記載されている（前記記載（ａ）、（ｃ）参照。）から、刊行物２に記載された発光期間を定める技術を刊行物１に記載された発明の各蛍光灯の点灯信号の時間幅を定めるために採用することは、当業者が容易に想到し得ることである。
　したがって、前記相違点１における請求項１に係る発明の構成に格別困難な点は見い出せない。
（２）請求項２に係る発明について
　請求項２に係る発明と刊行物１に記載された発明とを対比すると、刊行物１には、基準となる点灯時間に乗じる係数を光源の数の逆数である１／３とすることが記載されている（前記記載（３）参照。）から、両発明は、
　「前記所望の係数が、前記複数点灯させる光源数の逆数である」点で相違せず、前記相違点１に加えて、次の点で相違する。
（相違点２）
　請求項２に係る発明は、基準点灯時間を計測により得るに際し、各光源により照射される白色の基準面を用いるのに対し、刊行物１に記載された発明は、基準点灯時間を計測により得るものではなく、したがって、基準面を用いるものではない点。
　相違点１についての判断は前述したとおりである。
　そして、刊行物２に「基準白色部９は、カラー原稿１の読み取りを行う前に、赤、緑、青の蛍光灯３，４，５の発光のこの基準白色部における反射光をＣＣＤセンサ８に与えて、後述するホワイトバランス法を行うためのものである。この基準白色部９は可視光領域で良く可視光を（１００％近く）反射し、可視光領域の反射率が一様であるような材質が選定される。」（前記記載（ａ）を参照。）と記載されているように、ホワイトバランスを設定する際に白色の基準面を用いることは、周知慣用されていることであるから、白色基準面を用いるようにすることは、基準点灯時間を計測により得るようにすることに伴って当業者が何ら困難性なく採用し得ることである。
（３）請求項３に係る発明について
　請求項３に係る発明と刊行物１に記載された発明とを対比すると、　
　両発明は、前記相違点１及び２に加えて、次の点で相違する。
（相違点３）
　請求項３に係る発明は、複数の光源が赤色ＬＥＤ、青色ＬＥＤ、および緑色ＬＥＤであるのに対し、刊行物１に記載された発明は複数の光源が赤、青、および緑の蛍光灯である点。
　相違点１及び２についての判断は前述したとおりである。
　そして、当審が通知した取消理由に引用した刊行物（特開昭５８−２１９７３号公報）（以下、「刊行物３」という。）に、複数の光源を赤、青、および緑のＬＥＤとしたカラー原稿読取り装置が記載されているように、カラー原稿読取り装置における光源として赤色ＬＥＤ、青色ＬＥＤ、および緑色ＬＥＤも慣用されているものであるから、赤、青、および緑の蛍光灯に代えて赤、青、および緑のＬＥＤを用いるようにすることは、当業者が適宜なしえることである。
６．むすび
　以上のとおりであるから、本件特許請求の範囲における請求項１，２，３に係る発明は、刊行物１〜３に記載された発明に基いて当業者が容易に発明をすることができたものであり、特許法第２９条第２項の規定に違反してなされたものである。
　したがって、本件発明についての特許は拒絶の査定をしなければならない特許出願に対してなされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、
　結論のとおり決定する。
【異議決定日】
平成１３年４月１９日（２００１．４．１９）
【訂正の要旨】
訂正の要旨
　特許請求の範囲の減縮及び明りょうでない記載の釈明
（３）訂正事項
　▲１▼　特許請求の範囲の請求項１を、「異なる発光波長をもつ複数の光源を、蓄積タイプのイメージラインセンサの読み取りタイミングに同期点灯させて、原稿画像を読み取るカラー原稿読取装置において、前記各光源毎に基準面を照射した時に前記イメージラインセンサの一蓄積期間における出力が所定レベルに入る前記一蓄積期間より短い基準点灯時間を計測する手段を具備し、前記一蓄積期間に前記異なる発光波長をもつ複数の光源を複数点灯させる際には、前記基準点灯時間に所望の係数を乗じた前記一蓄積期間より短い時間を前記各光源毎の点灯時間とすることを特徴とするカラー原稿読取装置。」と訂正する。
　▲２▼　明細書第３頁第８行から同頁最下行（特許公報第３欄第１４行から同欄第２６行）の「本発明の…特徴とする。」を、「本発明のカラー原稿読取装置は、異なる発光波長をもつ複数の光源を、蓄積タイプのイメージラインセンサの読み取りタイミングに同期点灯させて、原稿画像を読み取るカラー原稿読取装置において、各光源毎に基準面を照射した時にイメージラインセンサの一蓄積期間における出力が所定レベルに入る一蓄積期間より短い基準点灯時間を計測する手段を具備し、一蓄積期間に異なる発光波長をもつ複数の光源を複数点灯させる際には、基準点灯時間に所望の係数を乗じた一蓄積期間より短い時間を各光源毎の点灯時間とすることを特徴とする。また、基準面は白色であり、所望の係数が、複数点灯させる光源数の逆数であることを特徴とする。さらに、異なる発光波長をもつ複数の光源が、赤色ＬＥＤ、青色ＬＥＤおよび緑色ＬＥＤであることを特徴とする。」と訂正する。
（５４）【発明の名称】
カラー原稿読取装置
（５７）【特許請求の範囲】
（１）　異なる発光波長をもつ複数の光源を、蓄積タイプのイメージラインセンサの読み取りタイミングに同期点灯させて、原稿画像を読み取るカラー原稿読取装置において、
　前記各光源毎に基準面を照射した時に前記イメージラインセンサの一蓄積期間における出力が所定レベルに入る前記一蓄積期間より短い基準点灯時間を計測する手段を具備し、
　前期一蓄積期間に前記異なる発光波長をもつ複数の光源を複数点灯させる際には、前記基準点灯時間に所望の係数を乗じた前期一蓄積期間より短い時間を前記各光源毎の点灯時間とすることを特徴とするカラー原稿読取装置。
（２）　前記基準面は白色であり、
　前記所望の係数が、前記複数点灯させる光源数の逆数である請求項１に記載のカラー原稿読取装置。
（３）　前期異なる発光波長をもつ複数の光源が、赤色ＬＥＤ、青色ＬＥＤおよび緑色ＬＥＤである請求項１あるいは請求項２に記載のカラー原稿読取装置。
【発明の詳細な説明】
［産業上の利用分野］
　本発明は蓄積タイプのイメージセンサを用いた原稿読取装置に関するものである。
［従来の技術］
　従来の複数光源を用いた原稿読取装置が、第４，５図に示すように複数の光源を点灯させる際全て同じタイミングにオン、オフさせていた。
［発明が解決しようとする課題］
　ところが、第４図に示すようにこの光源に例えば赤、緑、青の波長域を持つ蛍光灯、ＬＥＤ等の３種類の光源を用いた場合、この３種類の光源全てが同じ照射時間であってもセンサにとって同じ明るさをもつことはない。そのため、３光源を点灯させモノクロで読み取ろうとした場合も特定の色、つまり他の光源に比べて同じ時間内に大きな出力を出せる光源と同一の色、を含む色の出力値が大きくなり、不自然な画像になっていた。
　また、第５図に示すように上記の光源を２本ずつ点灯させ緑、赤、青の補色イエロー、マゼンタ、シアンで、カラー画像を読み取らせようとした場合も緑、赤、青の色バランスが崩れ、不自然な画像となってしまった。
　そこで、本発明は従来のこのような課題を解決するもので、色バランスの良い自然な画像を簡単な方法で得られる原稿読み取り装置を提供することを目的とする。
［課題を解決するための手段］
　本発明のカラー原稿読取装置は、異なる発光波長をもつ複数の光源を、蓄積タイプのイメージラインセンサの読み取りタイミングに同期点灯させて、原稿画像を読み取るカラー原稿読取装置において、各光源毎に基準面を照射した時にイメージラインセンサの一蓄積期間における出力が所定レベルに入る一蓄積期間より短い基準点灯時間を計測する手段を具備し、一蓄積期間に異なる発光波長をもつ複数の光源を複数点灯させる際には、基準点灯時間に所望の係数を乗じた一蓄積期間より短い時間を各光源毎の点灯時間とすることを特徴とする。また、基準面は白色であり、所望の係数が、複数点灯させる光源数の逆数であることを特徴とする。さらに、異なる発光波長をもつ複数の光源が、赤色ＬＥＤ、青色ＬＥＤおよび緑色ＬＥＤであることを特徴とする。
［作用］
　上記のごとく光源を点灯させると光源による色バランスが任意に選べ、色バランスの良い自然な画像が簡単に得られる。
［実施例］
　以下に本発明を実施例に基づいて説明する。第１図は本発明にかかる具体例で、ａ、ｂ、ｃ、ｄ、ｅは、緑、赤、青の光源点灯時間とイメージセンサ（例えばＣＣＤラインセンサ）出力及び白色原稿を読み取った場合のイメージセンサ出力色成分比率の関係を示す図である。第２図は本発明に用いる原稿読取装置の読取部の例で、原稿ガラス１上におかれた原稿が等倍レンズ５により密着イメージセンサ６上に結像し、その画像情報が読取部を移動しながら順次に読み出され、原稿面の画像をすべて読み取る。この装置で読取を行う手順は、まず読取部を原稿ガラス１上の白基準面７の真下に移動する。次に光源に用いられる蛍光灯２、３、４の１本ずつについて、イメージセンサ６の出力が基準レベルに入るために必要な基準点灯時間を計測する。第１図は３本同時点灯の時の例で、破線は前述の手順により求められた基準レベルに入るために必要な点灯時間である。原稿を読み取る場合は、読取部を原稿下に移動した後、イメージセンサ６の出力成分が緑、赤、青、１：１：１になるように、それぞれの基準点灯時間に１／３を乗じた値を実際の点灯時間とする。これにより各色成分が企画化され、特定の色のみ強調されず、自然な画像が得られる。
　３図は本発明の別の実施例で緑、赤、青の補色イエロー、シアン、マゼンタで読み取る場合である。この例でも色成分が１：１とするように各光源の点灯時間に基準点灯時間の１／２を設定しているため、色バランスのとれた正しいイエロー、マゼンタ、シアンのデータが線順次に読み取ることができる。
　また以上の値は、色成分比を１：１を基本としているが、意識的にずらして簡単な色補正機能をもたせることも可能である。
［発明の効果］
　以上述べたように本発明によれば、色バランスの良い自然な画像が簡単に得られる、という効果を有する。
【図面の簡単な説明】
　第１図は本発明による光源の点灯タイミングとイメージセンサ出力の関係図。
　第２図は本発明に用いる原稿読取装置の読取部の断面図。
　第３図は本発明の別の実施例を示す光源の点灯タイミングとイメージセンサ出力の関係図。
　第４図は、５図は従来の光源の点灯タイミングとイメージセンサ出力の関係図。
　１……原稿ガラス
　２……赤色蛍光灯
　３……青色蛍光灯
　４……緑色蛍光灯
　５……等倍レンズ
　６……密着タイプイメージセンサ
　７……白基準面